(57)【要約】      （修正有）【課題】既存のリフレクターに下向きにして簡単に取り付けられるとともに、放熱性も十分に期待できる照明具を提供する。【解決手段】ＬＥＤを組み込むとともにカバー１６を備えたハウジング１７と、このハウジングの側面から導き出したフレキシブルケーブル１８と、このフレキシブルケーブルの先端に設け、フレキシブルケーブルに相対回転可能に設けた回転接点構造体と、この回転接点構造体と一体回転するとともに外周にネジを形成した口金２０とを備え、上記フレキシブルケーブルは、それを曲げた状態で、上記ハウジングおよび上記カバー等の各部品の重量を支える形態維持能力を備えている。【選択図】図３
0003161138.tif 000002
【実用新案登録請求の範囲】
【請求項１】
建物の天井に埋め込み型にして設けた椀状のリフレクターの口金挿入穴に取り付けるＬＥＤ照明具において、ＬＥＤを組み込むとともにカバーを備えたハウジングと、このハウジングの側面から導き出したフレキシブルケーブルと、このフレキシブルケーブルの先端に設け、フレキシブルケーブルに相対回転可能に設けた回転接点構造体と、この回転接点構造体と一体回転するとともに外周にネジを形成した口金とを備え、上記フレキシブルケーブルは、それを曲げた状態で、上記ハウジングおよび上記カバー等の各部品の重量を支える形態維持能力を備え、上記リフレクターに設けた口金挿入穴に、回転接点構造体を回しながら上記口金をねじ込むとともに、フレキシブルケーブルを曲げて、上記ハウジングおよびカバー等を最適位置に保持可能にしたＬＥＤ用照明具。
【請求項２】
アルミ板にＬＥＤを直接もしくは間接的に取り付けるとともに、このアルミ板であってＬＥＤを除いた部分を合成樹脂板で覆う一方、上記ＬＥＤが露出する側の合成樹脂板に導光板を接着し、さらに、この導光板に光を拡散する機能を備えたカバーを設け、これらアルミ板、合成樹脂板、導光板およびカバーをハウジングに設けた請求項１記載のＬＥＤ照明具。
【請求項３】
上記導光板の周縁の部分を斜面にし、その斜面から光を照射可能にした請求項２記載のＬＥＤ照明具。
【請求項４】
アルミ板にＬＥＤを直接もしくは間接的に取り付けるとともに、このアルミ板であってＬＥＤを除いた部分を合成樹脂板で覆う一方、上記ＬＥＤが露出する側の合成樹脂板に導光性を保持させ、さらに、この導光性を備えた合成樹脂板に光を拡散する機能を備えたカバーを設け、これらアルミ板、合成樹脂板およびカバーをハウジングに設けた請求項１記載のＬＥＤ照明具。
【請求項５】
上記導光性を備えた合成樹脂板の周縁の部分を斜面にし、その斜面から光を照射可能にした請求項４記載の照明具。
【考案の詳細な説明】
【技術分野】
【０００１】
この考案は、建物の天井に設けた椀状の埋め込み型リフレクターの口金挿入孔に取り付けるＬＥＤ照明具に関する。
【背景技術】
【０００２】
従来、図４に示すように、建物の天井に設けた椀状の埋め込み型のリフレクター１には、外周にネジを形成した口金２ａを設けてなる白熱電球２を取り付けるのが通常であった。この白熱電球２は、周囲に高い熱を放出するので、当該リフレクター１の天井裏側には断熱材３を設け、白熱電球２から発生する熱で火災が発生しないようにしている。
【０００３】
また、通常は、天井裏のスペースが狭いために、上記リフレクター１もその天井裏方向の奥行きを短くすることが求められ、図４に示すように、口金挿入穴４を、リフレクター１の頂点を通る鉛直線よりもオフセットされた位置に斜めに設けるようにしている。これによって、上記口金２ａを、上記口金挿入穴４にねじ込んだとき、白熱電球２も斜めになるので、リフレクター１の天井方向の奥行きが短くても、白熱電球２がリフレクター１内に収まることになる。
【０００４】
上記のようにして取り付けられた白熱電球２は、その光がほぼ全方向に放射されるので、その光は、リフレクター１で反射して、その反射角の範囲内ではあるが、天井の真下をかなり広い範囲にわたって均等に照射することができる。言い換えると、白熱電球２の場合には、既存のリフレクター１に斜めに取り付けられていても、光は天井の真下をかなり広い範囲にわたって均等に照らすことができる。
【先行技術文献】
【特許文献】
【０００５】
【特許文献１】特開２０１０−０１６００３号公報
【考案の概要】
【考案が解決しようとする課題】
【０００６】
上記のようにした既存のリフレクター１に、白熱電球に代えて、図５に示すＬＥＤ電球５を斜めに取り付けると、次のような不都合があった。
ＬＥＤ電球５の特性は、白熱電球２に比べてその光の直進性が高く、しかも、ＬＥＤの発熱量が大きいので、ＬＥＤ電球５の半分以上をアルミ製の放熱材５ａで覆っていることである。このようにＬＥＤ電球５は、光の直進性が高い上に、その半分以上を放熱材５ａで覆ってしまうので、その光は、全方向に放射されることはほとんどなく、特に、短い距離のなかでは軸線方向に集束されやすくなる。
【０００７】
このように光が軸線方向に集束されると、リフレクター１の反射範囲も狭くなり、その分、照射範囲も狭くなるという問題があった。また、当該電球５の軸線方向前方におけるリフレクター１の角部１ａに光がかかり、照射部分に陰りができるという問題もあった。
【０００８】
一方、上記のように口金挿入穴４を斜めに設けた既存のリフレクター１に、このリフレクター１の開口部分をふさぐようにしてＬＥＤ付きの照明具を下向きに取り付ければ、照射範囲が狭くなったりするという問題は解決できるが、また新たに別な問題が発生する。
【０００９】
すなわち、口金挿入穴４を設けた既存のリフレクター１の開口部分をふさぐようにして照明具を取り付ける場合には、当然のことであるが、当該照明具に口金が備わっていなければならない。しかし、その照明具に直接口金を設けることはできないので、ケーブルを介して口金を設けなければならない。もし、そのケーブルが長すぎれば、当該照明具が天井から大きくたれ下がってしまい、インテリアの観点から好ましいものではない。
そこで、ケーブルの長さを短くして、口金を上記口金挿入穴４に取り付けた状態で、当該照明具がリフレクター１の開口部分をふさぐかあるいはその開口部分近傍に位置させようとすると、今度は、上記照明具が邪魔になって、口金を持った手がリフレクター１の中に入れられなくなり、結局、口金を口金挿入穴に取り付けられなくなってしまう。
【００１０】
いずれにしても、ＬＥＤを用いた照明具を既存のリフレクター１に取り付けようとすると、口金と当該照明具とをケーブルで連結しなければならないが、上記のように、それを取り付けられなかったり、あるいは取り付けられたとしてもインテリアの観点から好ましくなかったりするという問題があった。
【００１１】
また、上記のようなＬＥＤを用いた照明具を、既存のリフレクター１に取り付けようとしたときには、ＬＥＤの発熱量が大きいので、放熱対策を施しておかなければならない。特に、既存のリフレクター１は、その天井面側に断熱材３を設けているので、放熱対策を施しておかないと、リフレクター１内に熱がこもってしまい、ＬＥＤおよび電源基板に悪影響を及ぼしてしまう。
【００１２】
このような問題を解決しようとすれば、上記照明具とリフレクター１の開口部分にすき間をあけて、このすき間からリフレクター１内の熱を外部に放出させるようにしなければならない。しかし、そのすき間を極端に大きくすれば、上記したようにインテリアの観点から好ましくないので、そのすき間の大きさをある程度調整できなければならない。しかし、従来のものでは、このすき間を適度に調整することはできなかった。
【００１３】
この発明の目的は、既存のリフレクターに下向きにして簡単に取り付けられるとともに、放熱性も十分に期待できる照明具を提供することである。
【課題を解決するための手段】
【００１４】
この発明は、建物の天井に埋め込み型にして設けた椀状のリフレクターの口金挿入穴に取り付けるＬＥＤ照明具に関する。
そして、第１の発明は、ＬＥＤを組み込むとともにカバーを備えたハウジングと、このハウジングの側面から導き出したフレキシブルケーブルと、このフレキシブルケーブルの先端に設け、フレキシブルケーブルに相対回転可能に設けた回転接点構造体と、この回転接点構造体と一体回転するとともに外周にネジを形成した口金とを備えている。
さらに、上記フレキシブルケーブルは、それを曲げた状態で、上記ハウジングおよび上記カバー等の各部品の重量を支える形態維持能力を備えている。
そして、上記リフレクターに設けた口金挿入穴に、回転接点構造体を回しながら上記口金をねじ込むとともに、フレキシブルケーブルを曲げて、上記ハウジングおよびカバー等を最適位置に保持可能にしている。
【００１５】
第２の発明は、アルミ板にＬＥＤを直接もしくは間接的に取り付けるとともに、このアルミ板であってＬＥＤを除いた部分を合成樹脂板で覆う一方、上記ＬＥＤが露出する側の合成樹脂板に導光板を接着し、さらに、この導光板に光を拡散する機能を備えたカバーを設け、これらアルミ板、合成樹脂板、導光板およびカバーをハウジングに設けている。
第３の発明は、上記導光板の周縁の部分を斜面にし、その斜面から光を照射可能にしている。
【００１６】
第４の発明は、アルミ板にＬＥＤを直接もしくは間接的に取り付けるとともに、このアルミ板であってＬＥＤを除いた部分を合成樹脂板で覆う一方、上記ＬＥＤが露出する側の合成樹脂板に導光性を保持させ、さらに、この導光性を備えた合成樹脂板に光を拡散する機能を備えたカバーを設け、これらアルミ板、合成樹脂板およびカバーをハウジングに設けている。
第５の発明は、上記導光性を備えた合成樹脂板の周縁の部分を斜面にし、その斜面から光を照射可能にしている。
【考案の効果】
【００１７】
第１の発明によれば、フレキシブルケーブルと相対回転自在で、かつ口金と一体回転する回転接点構造体を回しながら、口金を口金挿入穴に挿入できるので、その口金を口金挿入穴に取り付けるとき、フレキシブルケーブルがねじれたり、照明具がぐるぐる回ったりせず、口金を口金挿入穴に簡単に取り付けることができる。
【００１８】
また、上記フレキシブルケーブルは、それを曲げた状態で、上記ハウジングおよび上記カバー等の各部品の重量を支える形態維持能力を備えているので、当該フレキシブルケーブルを十分に長くしても、それを曲げた状態でリフレクターの中に収めることができる。
したがって、当該照明具をリフレクターの下方に大きく垂れ下がらせながら、口金を口金挿入穴に取り付ける作業が可能になり、上記回転接点構造体を回しながら口金を回せることと相まって、口金の取り付け作業が非常に簡単になる。
【００１９】
さらに、照明具をリフレクターの下方に垂れ下がらせたときの余分な長さ分のフレキシブルケーブルは、それを折り曲げた状態でリフレクターの中に収められるとともに、その折り曲げ量を調整することによって、当該照明具とリフレクターの開口部分とのすき間を自由に調整できる。したがって、リフレクター内の放熱に必要なすき間を確保しながら、インテリアとして不都合のない範囲に当該照明具を位置保持できる。
【００２０】
第２の発明によれば、ＬＥＤを取り付けるアルミ板の両面を合成樹脂板で覆ったので、ＬＥＤを発光させた際に発生する熱を、上記アルミ板で素早く拡散させるとともに、その拡散させた熱を、上記合成樹脂板を介して放出させることができる。そして、合成樹脂板は熱放射率が高いので、その分、十分な放熱効果を達成することができる。このように放熱効果が高いので、その分、ＬＥＤの耐久性を上げることができる。
また、当該照明具をリフレクターの下方に少し離して位置保持させることによって、上記のように放出された熱が、リフレクター内にこもることもなくなるので、火災の防止に役立つとともに、ＬＥＤおよび電源基板に悪影響を及ぼすこともなくなる。
さらに、放熱機能を有する上記合成樹脂板をリフレクターの外に位置させることができるので、合成樹脂板を相対的に大きくできる。合成樹脂板の大きさを大きくすれば、その分、放熱機能が高まるので、より明るいＬＥＤを用いることができる。
【００２１】
第３の発明によれば、上記導光板の周縁の部分を斜面にし、その斜面から光を照射可能にしたので、例えば、斜面を天井に向ければ、天井を明るく照らすことができる。特に、室内においては、天井が明るくなると、部屋全体が明るくなった印象を受けるので、照明効果がいっそう向上することになる。
【００２２】
第４の発明によれば、第２の発明の合成樹脂板と導光板とを一体化したので、部品点数を少なくして、全体のコストを下げることができる。
第５の発明によれば、上記合成樹脂板の斜面から光を照射可能にしたので、例えば、斜面を天井に向ければ、天井を明るく照らすことができる。特に、室内においては、天井が明るくなると、部屋全体が明るくなった印象を受けるので、照明効果がいっそう向上することになる。
【図面の簡単な説明】
【００２３】
【図１】側面図である。
【図２】断面図である。
【図３】当該照明具の口金を口金挿入穴に取り付け、フレキシブルケーブルを折り曲げてリフレクター内に収めた状態の側面図である。
【図４】リフレクターに従来の白熱電球を取り付けた状態の側面図である。
【図５】ＬＥＤ電球の正面図である。
【考案を実施するための形態】
【００２４】
図１〜３に示した実施形態は、既存のリフレクターに取り付けるもので、そのリフレクターは図４に示したものと同一である。したがって、図３に示したリフレクターには、図４と同一の符号を付して説明し、それらの詳細な説明は省略する。
【００２５】
この実施形態の照明具は、図２に示すように、アルミ板１１にＬＥＤ１２を設けるとともに、アルミ板１１であって、ＬＥＤ１２を除いた部分を合成樹脂板１３，１４で覆っている。そして、上記ＬＥＤ１２を露出させた合成樹脂板１３側には、ＬＥＤ１２の光を周囲に導く導光板１５を重ね合わせるとともに、この導光板１５に光を拡散する機能を備えたカバー１６を設けている。なお、上記合成樹脂板１３と導光板１５は、導光性を有する材質の合成樹脂で一体化してもよい。
そして、上記合成樹脂板１３，１４の部分をハウジング１７に収めるとともに、このハウジング１７の開口側周囲に上記合成樹脂板１４を密着させるようにしている。
【００２６】
なお、上記導光板１５の周縁には、斜面１５ａを形成しているが、この斜面１５ａから光が拡散されるようにしている。そして、この実施形態では、上記斜面１５ａを上方向すなわち天井面側に向けているが、このように斜面１５ａを天井面側に向けたのは、この斜面１５ａから拡散される光で天井を明るくすることで、その照明効果をいっそう高めるためである。なお、上記斜面１５ａは、それを下向きに形成してもよく、照明の目的に応じてその向きを決めることができる。
また、上記のように導光板１５と合成樹脂板１３とを、同一の材質で一体化してもよいが、この場合にもそれら周縁に斜面を形成することができる。
【００２７】
上記のようにしたハウジング１７には、その側面からフレキシブルケーブル１８を導き出しているが、このフレキシブルケーブル１８の先端には、回転接点構造体１９を介して、外周にネジを形成した口金２０を設けている。
上記フレキシブルケーブル１８は可撓性を有するとともに、それを曲げた状態で、上記ハウジングおよび上記カバー等の各部品の重量を支える形態維持能力を備えている。
また、上記回転接点構造体１９は、その先端に口金２０を固定するとともに、フレキシブルケーブル１８には相対回転自在である。言い換えると、回転接点構造体１９はフレキシブルケーブル１８とは相対回転自在で、口金２０とは一体回転する構成にしている。
【００２８】
そして、上記フレキシブルケーブル１８は、その先端に設けた口金２０を口金挿入穴４にねじ込んだとき、上記ハウジング１７がリフレクター１の下方に大きく垂れ下がるだけの長さを保持している。大きく垂れ下がる長さとは、上記口金２０を口金挿入穴４にねじ込むとき、上記ハウジング１７が邪魔にならずに、リフレクター１の中に手を入れられる長さを言う。
【００２９】
上記のようにした照明具をリフレクター１に取り付けるときには、フレキシブルケーブル１８をある程度伸ばした状態にするとともに、回転接点構造体１９を摘んでその先端に固定した口金２０を口金挿入穴４に挿入し、回転接点構造体１９をくるくると回す。
このように回転接点構造体１９を回すことによって口金２０も回転するので、口金２０は口金挿入穴４にねじ込まれる。
このとき、フレキシブルケーブル１８は、回転接点構造体１９と相対回転するので、ねじれたりしない。当然のこととして、ハウジング１７やカバー１６も回ったりしない。
したがって、口金２０を口金挿入穴４にねじ込む作業が簡単になる。
【００３０】
上記のようにして口金２０を口金挿入穴４にしっかりとねじ込んだら、フレキシブルケーブル１８の余分な長さ分を折り曲げてリフレクター１内に収めるようにする。このようにしてフレキシブルケーブル１８を折り曲げてそれをリフレクター１に収めるときには、図３に示すように、合成樹脂板１４とリフレクター１の角部１ａとの間にすき間２１を確保する。このすき間２１は、リフレクター１内にこもる熱を開放する役割を担うことになる。したがって、そのすき間２１の大きさは、当該照明具の放熱量の大きさによって調整されることになる。
【００３１】
上記のようにすき間２１の大きさを調整できるのは、フレキシブルケーブル１８が、可撓性を有するとともに、フレキシブルケーブル１８を曲げた状態で、上記ハウジング１７および上記カバー１６等の各部品の重量を支える形態維持能力を備えているからである。
【００３２】
さらに、アルミ板１１にＬＥＤ１２を直接もしくは間接的に取り付けるとともに、このアルミ板１１であってＬＥＤ１２を除いた部分を合成樹脂板１３，１４で覆っているので、ＬＥＤ１２を発光させた際に発生する熱を、アルミ板１１で素早く拡散させるとともに、その拡散させた熱を、上記合成樹脂板１３，１４を介して放出させることができる。そして、合成樹脂板１３，１４は熱放射率が高いので、その分、十分な放熱効果を達成することができる。
【００３３】
したがって、下から見てインテリアの観点からそれほど違和感を与えない程度に上記すき間２１を大きく確保すれば、リフレクター１内に熱がこもったりせず、ＬＥＤ１２および電源基板に悪影響を及ぼすことはない。
このようなことができるのも、フレキシブルケーブル１８が、それを曲げた状態で、上記ハウジング１７および上記カバー１６等の各部品の重量を支える形態維持能力を備えているからである。
【産業上の利用可能性】
【００３４】
埋め込み型にした椀状の既存のリフレクターにＬＥＤ用照明具を取り付ける場合に有効である。
【符号の説明】
【００３５】
１        リフレクター
１１        アルミ板
１２        ＬＥＤ
１３，１４  合成樹脂板
１５        導光板
１５ａ      斜面
１６        カバー
１７        ハウジング
１８        フレキシブルケーブル
１９        回転接点構造体
２０        口金
【図１】
0003161138.tif 000003
【図２】
0003161138.tif 000004
【図３】
0003161138.tif 000005
【図４】
0003161138.tif 000006
【図５】
0003161138.tif 000007